(57)【要約】  【課題】ロック時における基板とコネクタ側の接触子との接触状態のバラツキを無くし、製品精度の安定した構造が得られるようにする。  【解決手段】モジュール本体１３を取り付けた基板１５に係合部１７を設けると共に、そのモジュール１１が組み込まれるコネクタ１２側に、該モジュール１１の組み込み時には外側に逃がされ、該モジュール１１が所定の位置に組み込まれると基板１５の係合部１７上に復帰して該係合部１７と係合され、該係合で前記モジュール１１の抜け止めを行うバネフック１８を設けたモジュール装置。【選択図】図１
2006067443.tif 000002
【特許請求の範囲】
【請求項１】
基板上にモジュール本体を取り付けたモジュールと、該モジュールを組み込むための一端が開放された中空部及び該中空部の内面に前記基板側の接触子と電気接触を図る接触子を設けたコネクタとを備え、前記中空部内に組み込まれたモジュールを前記コネクタに固定するためのモジュール用コネクタロック装置であって、
前記基板に係合部を設けると共に、前記コネクタに前記モジュールの組み込み時には外側に弾性変形して逃がされ、該モジュールが所定の位置に組み込まれると前記係合部上に自己復帰して前記係合部と係合し前記モジュールの抜け止めを行うバネフックを設けたことを特徴とするモジュール用コネクタロック装置。
【請求項２】
上記係合部と対応している上記モジュール本体の部分は、上面まで連続して切り欠かれていることを特徴とする請求項１記載のモジュール用コネクタロック装置。
【請求項３】
上記中空部は４内側面を有した桝状に形成され、上記バネフックは４内側面のコーナ部近傍に設けられ、上記基板上の係合部は前記バネフックと対応した位置に設けられていることを特徴とする請求項１又は２記載のモジュール用コネクタロック装置。
【請求項４】
上記モジュール本体は外側面から外側に向かって突出された位置決め突部が設けられ、上記コネクタは前記モジュールが所定の位置に組み込まれると前記位置決め突部と係合されて、前記モジュールの水平方向の位置決めを行うための係合凹部が設けられていることを特徴とする請求項１，２又は３記載のモジュール用コネクタロック装置。
【請求項５】
請求項１，２，３又は４記載のモジュール用コネクタロック装置を用いたことを特徴とするカメラ用モジュール装置。
【発明の詳細な説明】
【技術分野】
【０００１】
本発明は、モジュール用コネクタロック装置及び該ロック装置を用いたカメラ用モジュール装置に関するものであり、特に、メモリモジュール又はカメラモジュール等の各種モジュールをコネクタに組み込み、且つ、該モジュールをコネクタにロックするためのモジュール用コネクタロック装置及び該ロック装置を用いたカメラ用モジュール装置に関するものである。
【背景技術】
【０００２】
図４及び図５は従来のモジュール用コネクタロック構造を用いたモジュール装置の一例を示すもので、図４はそのモジュール装置の概略正面縦断面図、図５はそのモジュール装置の分解図である。図４及び図５において、モジュール装置１００は、モジュール１０１と、該モジュール１０１を機器に取り付けるコネクタ１０２とで構成されている。
【０００３】
前記モジュール１０１は、携帯電話等に実装するカメラモジュールである。該モジュール１０１は、概略四角形のブロック状に形成されているモジュール本体１０３と、該モジュール本体１０３の上部に設けられたレンズ部１０４とで構成されている。又、モジュール本体１０３のコーナ部近傍には、モジュール本体１０３の途中から上面までを連続して切り欠くことによって形成されている係合部１０７，１０７…が設けられている。更に、モジュール本体１０３の底面には、基板１０５が接着剤１０６で取り付けられ、該基板１０５の側面に接触子となる複数の接触パッド（図示せず）がそれぞれ鉛直方向に形成されている。
【０００４】
前記コネクタ１０２は、モジュール１０１を組み込むための、一端が開放されている桝状をした中空部１０９を有するコネクタ本体１１０と、中空部１０９の内面に基板１０５の接触パッドとの電気接触を図るための接触子片（図示せず）を設けていると共に、モジュール１０１の係合部１０７，１０７…に対応させてバネフック１０８，１０８…が設けられている。該バネフック１０８，１０８…は、コネクタ本体１１０の外周面を覆って該コネクタ本体１１０に取り付けられているシールドケース１１１から中空部１０９内に延ばされており、中空部１０９内に延ばされた自由先端側はコネクタ本体１１０の底部１０２ａに近づくに従って徐々に中空部１０９の中心に近づくようにして傾斜し、中心側に向かって突出されている。尚、そのバネフック１０８，１０８…の各自由先端１０８ａ，１０８ａ…は、中空部１０９内にモジュール１０１が所定の位置まで挿入されると、係合部１０７，１０７…、すなわち基板１０５の上面に係合されて、モジュール１０１を抜け止めできるように成っている。
【０００５】
そして、モジュール１０１をコネクタ１０２に取り付ける場合は、図５に示すように、モジュール１０１をコネクタ１０２の上側から中空部１０９内に落とし込むようにして組み込む。その組み込み途中では、基板１０５の下面がバネフック１０８，１０８に当接する。しかしながら、そのままモジュール１０１を押し込むと、バネフック１０８，１０８は弾性変形を伴って外側に逃がされ、モジュール１０１の押し込みを許容する。又、基板１０５の下面が中空部１０９内の底部１０２ａに当接し、接触パッドと接触子片とが接触（当接）された状態となる所定位置まで押し込まれると、バネフック１０８，１０８…が自身の弾性力で係合部１０７内に復帰され、バネフック１０８，１０８…の各先端１０８ａが係合部１０７の係止面１０７ａに係合される。この係合により、コネクタ１０２に対してのモジュール１０１の抜け止めが行われ、モジュール１０１がコネクタ１０２にロックされる。図４は、このロック状態を示す。
【０００６】
尚、この種のモジュール用コネクタロック装置としては、図４及び図５に示す構造以外にも、例えば特許文献１でも見ることができる。
【特許文献１】特開２００４−６３４２５号公報
【発明の開示】
【発明が解決しようとする課題】
【０００７】
しかしながら、上述したように従来のロック装置では、係合部１０７をモジュール本体１０３に設け、該係合部１０７にバネフック１０８を係合させてモジュール１０１をコネクタ１０２にロックさせる構造になっている。この種のロック構造では、製品によっては、ロック時における基板１０５の接触パッドとコネクタ１０２側の接触子片との接触状態にバラツキが生じ、製品精度が安定しないという問題があった。その製品精度が安定しない原因の一つとしては、次のことが考えられる。
【０００８】
すなわち、この固定構造では、モジュール本体１０３を介して基板１０５の接触パッドをコネクタ１０２側の接触子片に接触させるようにしている。しかしながら、モジュール本体１０３の下面と基板１０５との間には接着剤１０６が塗布され、この接着剤１０６でモジュール本体１０３の下面に基板１０５を固定している。このため、接着剤の塗布量の差や、モジュール本体１０３に対する基板１０５の傾き具合等によっては、ロック接触位置寸法にバラツキ等が生じ、これらが製品精度のバラツキを生じさせている。
【０００９】
そこで、ロック時における基板の接触子とコネクタ側の接触子との接触位置寸法のバラツキを無くし、製品精度の安定した構造が得られるようにするために解決すべき技術的課題が生じてくるのであり、本発明はこの課題を解決することを目的とする。
【課題を解決するための手段】
【００１０】
本発明は上記目的を達成するために提案されたものであり、請求項１記載の発明は、基板上にモジュール本体を取り付けたモジュールと、該モジュールを組み込むための一端が開放された中空部及び該中空部の内面に前記基板側の接触子と電気接触を図る接触子を設けたコネクタとを備え、前記中空部内に組み込まれたモジュールを前記コネクタに固定するためのモジュール用コネクタロック装置であって、前記基板に係合部を設けると共に、前記コネクタに前記モジュールの組み込み時には外側に弾性変形して逃がされ、該モジュールが所定の位置に組み込まれると前記係合部上に自己復帰して前記係合部と係合し前記モジュールの抜け止めを行うバネフックを設けたモジュール用コネクタロック装置を提供する。
【００１１】
この構成によれば、基板上をバネフックで直に押さえ、該基板をコネクタに対して位置決めするので、モジュール本体と基板間との間に製造誤差等があっても、その製造誤差は無視され、コネクタの所定の位置に基板が位置決めされる。
【００１２】
請求項２記載の発明は、上記係合部と対応している上記モジュール本体の部分が、上面まで連続して切り欠かれているモジュール用コネクタロック装置を提供する。
【００１３】
この構成によれば、コネクタに一度組み込まれたモジュールを、再びコネクタから取り外す必要が生じたとき、係合部に上面側からレバー等を差し込み、バネフックを基板の外側に逃がすと簡単に取り外すことができる。
【００１４】
請求項３記載の発明は、上記中空部は４内側面を有した桝状に形成され、上記バネフックは４内側面のコーナ部近傍に設けられ、上記基板上の係合部は前記バネフックと対応した位置に設けられているモジュール用コネクタロック装置を提供する。
【００１５】
この構成によれば、４内側面のコーナ部近傍に設けられているバネフック及び係合部を用いてモジュールとコネクタとの係合ロックを図ることができる。
【００１６】
請求項４記載の発明は、上記モジュール本体は外側面から外側に向かって突出された位置決め突部が設けられ、上記コネクタは前記モジュールが所定の位置に組み込まれると前記位置決め突部と係合されて、前記モジュールの水平方向の位置決めを行うための係合凹部が設けられているモジュール用コネクタロック装置を提供する。
【００１７】
この構成によれば、ロック時に、位置決め突部と係合凹部とが係合することによって、コネクタに対するモジュール本体の水平方向の位置決めができる。
【００１８】
請求項５記載の発明は、求項１，２，３又は４記載のモジュール用コネクタロック装置を用いたカメラ用モジュール装置を提供する。
【００１９】
この構成によれば、モジュールとコネクタとの間の抜け止めロックを、簡単、且つ確実に行うことができるカメラ用モジュール装置が得られる。
【発明の効果】
【００２０】
請求項１記載の発明は、モジュール本体と基板との間に製造誤差等があっても、その製造誤差は無視され、コネクタの所定の位置に基板を位置決めすることができるので、モジュールのコネクタに対する接触位置のバラツキを無くし、製品精度の安定化を図ることができる。又、モジュール本体と基板との間の寸法誤差も厳しく要求されることがないので、製造も簡単になる。
【００２１】
請求項２記載の発明は、コネクタに一度組み込まれたモジュールを、コネクタから取り外したいときには、上面側からレバー等を差し込み、バネフックを基板の外側に逃がすと簡単に取り外すことができるので、請求項１記載の発明の効果に加えて、更に操作性が向上する。
【００２２】
請求項３記載の発明は、内側面のコーナ部近傍に設けられているバネフック及び係合部を用いて、モジュールとコネクタとの係合ロックの解除を簡単に行うことができるので、請求項１又は２記載の発明の効果に加えて、更に操作性が向上する。
【００２３】
請求項４記載の発明は、位置決め突部と係合凹部とを係合すると、コネクタに対するモジュール本体の水平方向の位置決めを行うことができるので、請求項１，２又は３記載の発明の効果に加えて、更に製品精度が向上する。
【００２４】
請求項５記載の発明は、モジュールとコネクタとの間の抜け止めロックを、簡単、且つ確実に行うことができるロック構造を有したカメラ用モジュール装置が得られる。
【発明を実施するための最良の形態】
【００２５】
以下、本発明に係るモジュール用コネクタロック装置について、好適な実施例をあげて説明する。ロック時における基板とコネクタ側の接触子との接触状態のバラツキを無くし、製品精度の安定した構造が得られるようにするという目的を、モジュール本体を取り付けた基板に係合部を設けると共に、そのモジュールが組み込まれるコネクタ側に、該モジュールの組み込み時には外側に逃がされ、該モジュールが所定の位置に組み込まれると前記基板の係合部上に復帰して該係合部と係合され、該係合で前記モジュールの抜け止めを行うバネフックを設けた構造にして実現した。
【００２６】
図１及び図２は本発明の一実施の形態であるモジュール装置を示し、図１は概略縦正面断面図、図２は分解斜視図である。図１及び図２において、このモジュール装置１０は、モジュール１１と、該モジュール１１を機器に取り付けるコネクタ１２とで構成されている。
【００２７】
前記モジュール１１は、携帯電話等に実装するカメラモジュールである。該モジュール１１は、概略四角形のブロック状に形成されているモジュール本体１３と、該モジュール本体１３の上部に設けられたレンズ部１４とで構成されている。又、モジュール本体１３の相対抗している一対の側面１３ａ，１３ｂの左右のコーナ部近傍には、該モジュール本体１３の下面から上面までを連続して切り欠いて成る切欠部２０，２０…が設けられている。
【００２８】
更に、モジュール本体１３の底面には、基板１５が接着剤１６で取り付けられ、該基板１５の４側面に端子部となる複数の接触パッド２１，２１…（図２参照）がそれぞれ鉛直方向に形成されている。又、基板１５のコーナ部近傍はモジュール本体１３の切欠部２０，２０…の下側まで延出されており、この延出された部分で該切欠部２０，２０…の底面を形成した構造を成し、その切欠部２０，２０…の底面となる基板１５の上面部分を後述するバネフック１８，１８…と係合する係合部１７，１７…として使用する構造になっている。
【００２９】
前記コネクタ１２は、モジュール１１を組み込むための一端が開放された桝状をした中空部１９を有する樹脂製のコネクタ本体２２を備えている。又、コネクタ本体２２の底部２２ａは４側辺近傍が切り欠かれて開口２３，２３…が形成され、該中空部１９の内側面には鉛直方向に平行に接触子片となる複数のコンタクトピン２４，２４…（図２参照）が配設されている。
【００３０】
更に、中空部１９の相対抗している側面１９ａ，１９ｂの左右のコーナ部近傍には、モジュール１１側の基板１５の係合部１７，１７…と対応して前記バネフック１８，１８…が設けられている。そして、該バネフック１８，１８…は、コネクタ本体２２の外周面を覆って該コネクタ本体２２に取り付けられているシールドケース２７から中空部１９内に延ばされており、中空部１９内に延ばされた自由先端側はコネクタ本体２２の底部２２ａに近づくに従って徐々に中空部１９の中心に近づくようにして傾斜し、中心側に向かって突出されている。尚、そのバネフック１８，１８…の各自由先端１８ａ，１８ａ…は、中空部１９内にモジュール１１が所定の位置まで挿入されると、係合部１７，１７…、すなわち基板１５の上面に係合されて、モジュール１１を抜け止めできるように成っている。
【００３１】
又、コネクタ本体２２の一側面１８ａには、上面開口から底部２２ａに向かって連続して切り欠かれた係合凹部２５が設けられている。一方、コネクタ本体２２の一側面１８ａと対応しているモジュール本体１３の一側面１３ａには、係合凹部２５と位置決め状態で係合可能な位置決め突部２６が形成されている。そして、該位置決め突部２６は、モジュール１１がコネクタ１２の中空部１９内に一端開口より落とし込まれて組み込まれるとき、その組み込み動作に連動して係合凹所２５内に係合され、モジュール１１がコネクタ本体２２に対して水平方向に移動するのを規制するようにして設けられている。
【００３２】
図３は、このように構成されたモジュール装置１０において、モジュール１１をコネクタ１２に組み込む手順の一例を模式的に示す図である。図３を用いてモジュール１１をコネクタ１２に組み込む手順を次に説明する。まず、図３の（ｂ）に示すように、モジュール１１の位置決め突部２６とコネクタ１２の係合凹所２５とを対応させて、コネクタ１２の上側から中空部１９内にモジュール１１を落とし込むようにして組み込む。その組み込み途中では、基板１５の下面がバネフック１８に当接する。
【００３３】
しかしながら、そのままモジュール１１を押し込んで行くと、バネフック１８は弾性変形されて外側に逃がされ、モジュール１１の押し込みを許容する。又、基板１５の下面が中空部１９内の底部２２ａに当接し、接触パッド２１，２１…とコンタクトピン２４，２４…とが当接された状態になる所定位置までモジュール１１が中空部１９内に組み込まれると、バネフック１８が自身の弾性力で係合部１７上に自己復帰され、バネフック１８の先端１８ａが係合部１７上、すなわち基板１５の上面に直に係合される。この係合により、モジュール１１の抜け止めが行われ、モジュール１１がコネクタ１２にロックされ、組み込みが完了する。又、この組み込み完了状態では、モジュール１１の位置決め突部２６とコネクタ１２の係合凹所２５との係合も完了する。図３の（ａ）は、この組み込みが完了したロック状態を示す。
【００３４】
又、組み込みが一度完了した状態において、コネクタ１２からモジュール１１を取り外す場合は、係合凹所２５の上方から例えばピンを挿入し、バネフック１８を係合部１７上の外側に逃がした状態で、モジュール１１を上側に引き抜くと、簡単に取り外すことができる。
【００３５】
従って、このように構成されたモジュール装置は、基板１５上をバネフック１８で直に押さえ、この押さえにより該基板１５をコネクタ１２に対して位置決めするので、モジュール本体１３と基板１５との間に製造誤差等があっても、その製造誤差は無視され、コネクタ１２の所定の位置に基板１５が位置決めされる。この結果、モジュール１１のコネクタ１２に対する接触位置のバラツキを無くし、製品精度の安定化を図ることができる。又、モジュール本体１３と基板１５との間の寸法誤差も厳しく要求されることがないので、製造も簡単になる。
【００３６】
尚、本発明は、本発明の精神を逸脱しない限り種々の改変を為すことができ、そして、本発明が該改変されたものに及ぶことは当然である。
【図面の簡単な説明】
【００３７】
【図１】本発明の一実施の形態を示し、カメラモジュール装置の正面縦断面図。
【図２】同上実施形態に係るカメラモジュール装置の分解斜視図。
【図３】同上実施形態に係るカメラモジュール装置の組み込み手順の一例を説明する図で、（ａ）はコネクタにモジュールを組み込んだ後の状態を示す正面縦断面図、（ｂ）はコネクタにモジュールを組み込む前の状態を示す正面縦断面図。
【図４】従来のモジュール装置の正面縦断面図。
【図５】従来のモジュール装置の組み込み手順の一例を説明する図で、コネクタにモジュールを組み込む前の状態を示す正面縦断面図。
【符号の説明】
【００３８】
１０    モジュール装置
１１    モジュール
１２    コネクタ
１３    モジュール本体
１４    レンズ部
１５    基板
１６    接着剤
１７    係合部
１８    バネフック
１８ａ  先端
１９    中空部
２０    切欠部
２１    接触パッド
２２    コネクタ本体
２２ａ  底部
２３    開口
２４    コンタクトピン
２５    係合凹部
２６    位置決め突部
【図１】
2006067443.tif 000003
【図２】
2006067443.tif 000004
【図３】
2006067443.tif 000005
【図４】
2006067443.tif 000006
【図５】
2006067443.tif 000007